(57)【要約】【課題】  プラズマカラーテレビ等のセット全体の奥行きを薄くしたままの状態でフレームの強度を向上することで、セット全体の強度を高め、更なる薄型化を実現可能にした映像表示装置を得る。【解決手段】  複数の短小なフレームの組立体からなるフロントパネル２と、フロントパネル２に固定されるフィルターガラス３と、フィルターガラス３の背後に配置されたプラズマディスプレイパネル４と、プラズマディスプレイパネル４をフロントパネル２と共に一体に固定するリアカバー６とから構成されるプラズマカラーテレビであって、プラズマディスプレイパネル４の背後から渡し込まれてプラズマカラーテレビのセット本体の強度を補強するフレーム１４が取り付けられ、フレーム１４は断面がコの字形状のチャンネル状のメインフレーム１５に、断面がコの字形状の逆チャンネル状の補助フレーム１６を組み付け固定し、断面ロの字形状に構成した。【選択図】      図３
2006039062.tif 000002
【特許請求の範囲】
【請求項１】
複数の短小なフレームの組立体からなるフロントパネルと、
上記フロントパネルに支持フレームにより固定されるフィルターガラスと、
上記フィルターガラスの背後に配置されたフラットパネル表示体と、
上記フラットパネル表示体を上記フロントパネルと共に一体に固定するリアカバーとから構成される映像表示装置であって、
上記フラットパネル表示体の背後から渡し込まれて上記フラットパネル表示体を含む組立て構成体の強度を補強するフレームが取り付けられ、
上記フレームは断面がコの字形状のチャンネル状のメインフレームに、断面がコの字形状の逆チャンネル状の補強フレームを組み付け固定し、断面ロの字形状に構成したことを特徴とする映像表示装置。
【請求項２】
上記フレームは、全体形状が橋梁形状にされていることを特徴とする請求項１に記載の映像表示装置。
【請求項３】
上記補強フレームは、上記メインフレームに対して短いフレームを断続的に組み付けられていることを特徴とする請求項１に記載の映像表示装置。
【請求項４】
映像表示装置がフラットパネルディスプレイあるいはフラットパネルカラーテレビであることを特徴とする請求項１に記載の映像表示装置。
【発明の詳細な説明】
【技術分野】
【０００１】
本発明は、例えばプラズマディスプレイパネル（ＰＤＰ）や液晶パネル等を使用したフラットパネルディスプレイあるいはフラットパネルカラーテレビ等の映像表示装置に関し、さらに詳しくは、この種、映像表示装置の薄型化に伴う強度不足を補う補強を強度アップした補強フレームの使用によって超薄型化を可能にした映像表示装置を実現するようにしたものである。
【背景技術】
【０００２】
薄型化を可能にしたフラットパネルディスプレイあるいはフラットパネルカラーテレビは、近年の技術の向上により、さらに薄型化の傾向にある。例えば、フラット液晶パネルの薄型化の構成の一例として、液晶パネルの外周を複数のステーで抑え、フロントパネルに固定するようにすることで、フラットパネルカラーテレビの軽量化、薄型化を可能にする技術が開示されている。（例えば、特許文献１参照）。
【０００３】
上述した特許文献１の技術は、液晶パネルをフロントパネルにねじ止めするための厚さ方向に長いねじ受け構造が必要ないため、フロントパネルを薄型化できるというものである。
【特許文献１】特開２００３−１５００７６号公報
【発明の開示】
【発明が解決しようとする課題】
【０００４】
しかし、フラットパネルディスプレイの更なる薄型化を実現するための対策として、フラットパネルが搭載されるシャーシ部のレイアウトを改善したり、フロントパネルを短小なフレームの組立体から構成することも必要であるが、特にディスプレイのセット全体の強度を決定する補強を兼ねるフレームの存在がある。このフレームはセット全体の更なる薄型化を図る上では、セット全体の奥行きが大幅に薄くなることから十分な奥行きスペースがとれず、このため、従来の仕様よりもフレームのチャンネル形状の幅サイズが狭く、また、高さが低くなることからセット本体の十分な強度を得ることができないといった問題があった。
【０００５】
本発明は、上述したような課題を解消するためになされたもので、セット全体の奥行きを薄くしたままの状態でフレームの強度を向上することで、セット全体の強度を高め、更なる薄型化を実現可能にした映像表示装置を得ることを目的とする。
【課題を解決するための手段】
【０００６】
上記の課題を解決し、本発明の目的を達成するため、本発明による請求項１に記載の映像表示装置は、複数の短小なフレームの組立体からなるフロントパネルと、フロントパネルに固定されるフィルターガラスと、フィルターガラスの背後に配置されたフラットパネル表示体と、フラットパネル表示体をフロントパネルと共に一体に固定するリアカバーとから構成される映像表示装置であって、フラットパネル表示体の背後から渡し込まれてフラットパネル表示体を含む組立て構成体の強度を補強するフレームが取り付けられ、フレームは断面がコの字形状のチャンネル状のメインフレームに、断面がコの字形状の逆チャンネル状の補強フレームを組み付け固定し、断面ロの字形状に構成したことを特徴とする。
【０００７】
また、請求項２に記載の映像表示装置は、フレームは全体が橋梁形状にされていることを特徴とする。
【０００８】
また、請求項３に記載の映像表示装置は、補強フレームはメインフレームに対して断続的に組み付けられていることを特徴とする。
【０００９】
また、請求項４に記載の映像表示装置は、映像表示装置がフラットパネルディスプレイあるいはフラットパネルカラーテレビであることを特徴とする。
【発明の効果】
【００１０】
本発明の請求項１に記載の映像表示装置によれば、フレームの幅サイズが狭く、高さが低いものであっても、断面がコの字形状のチャンネル状のメインフレームに、同じく断面がコの字形状の逆チャンネル状の補強フレームを組み付け、断面ロの字形状に構成したことで、フレームの強度が向上し、組立て構成体の強度を高めることができ、映像表示装置の更なる薄型化を実現することができる。
【００１１】
また、請求項２に記載の映像表示装置によれば、フレームの全体を橋梁形状に構成したことで、フレームの形状からも剛性を高めることができる。
【００１２】
また、請求項３に記載の映像表示装置によれば、補強フレームはメインフレームに対して短いフレームを断続的に組み付けるようにしたので、フレーム強度が十分保てると共に、フレームの軽量化も図れる。
【００１３】
また、請求項４に記載の映像表示装置によれば、超薄型化のフラットパネルディスプレイあるいはフラットパネルカラーテレビとなる。
【発明を実施するための最良の形態】
【００１４】
以下、本発明による映像表示装置の最良の実施の形態をプラズマディスプレイパネル（ＰＤＰ）を使用したプラズマカラーテレビを例にとって図面を参照して説明する。
【００１５】
図１はプラズマカラーテレビを正面側から見た斜視図、図２は同じく背面側から見た斜視図、図３は図１のＡ−Ａ線における断面で、プラズマカラーテレビの内部構成を示した断面図である。
【００１６】
始めにプラズマカラーテレビの外観の構成について説明する。
プラズマカラーテレビの前面である映像表示画面１の四周外周部は複数のパネル材の組立体からなるフロントパネル２がある。このフロントパネル２の構成については後述する。フロントパネル２には映像表示画面１の前面にフィルターガラス３が組み込まれ、フィルターガラス３の背後にプラズマディスプレイパネル４とその駆動回路を搭載したシャーシ５及び図示しないスピーカが組み込まれ、その背後からリアカバー６を組み付けてテレビ本体を構成している。符号７はテレビ本体のスタンドである。
【００１７】
図４はフロントパネル２にフィルターガラス３を組み付け状態を背面側から見た斜視図、図５はフロントパネル２の各構成部材とフィルターガラス３とを分離した状態を背面側から見た斜視図である。
【００１８】
符号８は映像表示画面１と略同じ大きさの開口部８ａを有する通称ベゼルといわれる板状の枠体であって、この枠体８は光沢のよい樹脂、例えばアクリル樹脂を射出成形により成形されたものである。９Ｌ,９Ｒは左スピーカ取付板及び右スピーカ取付板であり、両左スピーカ取付板９Ｌ及び右スピーカ取付板９Ｒは、各々コの字形状の左右対称であって、樹脂により射出成形したものである。この左スピーカ取付板９Ｌ及び右スピーカ取付板９Ｒにそれぞれスピーカが取り付けられる。
【００１９】
左スピーカ取付板９Ｌ及び右スピーカ取付板９Ｒは、枠体８の左側及び右側からスライドして係合させるものである。本例では枠体８の左側端及び右側端に各々複数の係合孔８ｂを一体成形し、スピーカ取付板９Ｌ,９Ｒの内側端に同じく複数の係合突起９ａを形成し、スピーカ取付板９Ｌ,９Ｒを枠体８にスライドさせることで、係合突起９ａが係合孔８ｂに係合して枠体８にスピーカ取付板９Ｌ,９Ｒを組み付けるようにしている。
【００２０】
１０Ｕ,１０Ｄは上透明部材及び下透明部材であって、上透明部材１０Ｕ及び下透明部材１０Ｄは、映像表示画面１の上側及び下側に沿って所定幅の長さを有し、例えば、透明なアクリル樹脂により射出成形したものである。この上透明部材１０Ｕ及び下透明部材１０Ｄは、枠体８の上側及び下側に各々スライドして係合させるものである。本例では枠体８の上側及び下側に各々複数の係合孔８ｃを一体成形し、上透明部材１０Ｕ及び下透明部材１０Ｄの枠体８との対向端に各々複数の係合突起１０ａを形成し、上透明部材１０Ｕ及び下透明部材１０Ｄを枠体８にスライドさせることで、係合突起１０ａが係合孔８ｃに係合して枠体８に上透明部材１０Ｕ及び下透明部材１０Ｄを組み付けるようにしている。
【００２１】
フロントパネル２の組み立ては次のように行われる。
まず、枠体８の左側端及び右側端に左スピーカ取付板９Ｌ及び右スピーカ取付板９Ｒが取り付けられると共に、枠体８の上側及び下側に上透明部材１０Ｕ及び下透明部材１０Ｄが取り付けられる。そして、この枠体８の裏面に映像表示画面１よりやや大きいフィルターガラス３を配置し、この後、鉄板を加工した上側フロントフレーム１１ａ、下側フロントフレーム１１ｂ、左側フロントフレーム１１ｃ及び、右側フロントフレーム１１ｄと鉄板を加工した４つのコーナーブラケット１２ａ,１２ｂ,１２ｃ及び１２ｄを使用し、ビス等を用いて枠体８と左スピーカ取付板９Ｌ及び右スピーカ取付板９Ｒと、上透明部材１０Ｕ及び下透明部材１０Ｄと、フィルターガラス３とを図４に示すように一体に固定する。
【００２２】
上述のように組み立てられたフロントパネル２にはその背後から図３、図６及び図７に示すように、プラズマディスプレイパネル４がフィルターガラス３とは所定の隙間を隔てるように、該フィルターガラス３の裏面外周部に取り付けたクッション材Ｃを介在してプラズマディスプレイパネル４とその駆動回路を搭載したシャーシ５及び左右一対のスピーカ１３が組み込まれ、その背後からリアカバー６を組み付けてテレビ本体のセットが構成される。
【００２３】
このように本例によれば、フロントパネル２を枠体８と、左右スピーカ取付板９Ｌ, ９Ｒと、上下透明部材１０Ｕ,１０Ｄとの５ピース構成としたので、フロントパネル２の各ピースの金型は大型化せず安価となると共に、フロントパネル２の薄型化が図れ斬新なデザインを実現できる。
【００２４】
ここで、テレビ本体のセットの薄型化に伴い、セットの強度の補強を行うためのフレーム１４が設けられている。フレーム１４は本例では図８に示すようにプラズマディスプレイパネル４のその駆動回路を搭載したシャーシ５の背面側から縦向き方向に渡し込まれて並行に設けられている。本例ではフレーム１３は２本使用し、シャーシ５の横長さを略三等分した位置に配置されている。なお、フレーム１３の数はプラズマディスプレイパネル４が例えば４０インチを超える場合であっては、その本数を適宜に増やしてセットの補強を行うことは設計的事項である。
【００２５】
フレーム１４は図９及び図１０に示すように断面がコの字形チャンネル状で、全体がいわゆる橋梁形状に成形されているメインフレーム１５と、このメインフレーム１５内に断面がコの字形の逆チャンネル状の短い複数の補強フレーム１６が断続的に嵌め込まれ、各々の補強フレーム１６がメインフレーム１５にねじ１７により固定されて断面がロの字形状にされたものである。
【００２６】
メインフレーム１５の両端には取付板１５ａ,１５ｂが備えられ、両取付板１５ａ,１５ｂがフロントパネル２とリアカバー６との間に挟み付けられるようにして固定される。この際、フレーム１４は図３に示すようにシャーシ５との間にクッション材製のスペーサ１８ａを介して組み付けられるようにされる。また、フレーム１４にはリアカバー６が当たらないようにクッション材製のスペーサ１８ｂが介在されている。
【００２７】
なお、メインフレーム１５の下端側には筒状部１５ｃが形成され、この筒状部１５ｃ内にセットされたテレビ本体をスタンド７に支持するとき、スタンド７から突出する図示しない突起部が挿入されて組み付け強度を高めるようにしている。
【００２８】
フレーム１４は以上のように構成したので、フレーム１４の幅サイズが狭く、高さが低いものであっても、フレームの強度が向上し、これによって、セット全体の強度を高めることができ、プラズマカラーテレビの更なる薄型化を実現できる。例えば、４２インチ以上のプラズマカラーテレビにおいて、従来のセット奥行き寸法が凡そ１０cmであったものが８９cmに薄型化が可能となるというものである。
【００２９】
また、メインフレーム１５は橋梁形状にしたことで、セットの上下方向や左右方向からの応力あるいは捩れ方向の応力に対しても変形することなく剛性を得ることができる。また、補助フレーム１６はメインフレーム１５に対して短いフレームを断続的に組み付けたものであるので、軽量化が図れ、しいてはセット全体の軽量化にもなる。
【００３０】
本発明は、上述しかつ図面に示した実施の形態に限定されるものでなく、その要旨を逸脱しない範囲内で種々の変形実施が可能である。
【００３１】
本発明の実施の形態ではプラズマディスプレイパネルを使用したプラズマカラーテレビを例にとって説明したが、その他、液晶パネル等のフラットパネルディスプレイのセットの強度を高める場合にも広く適用可能である。
【００３２】
また、補助フレーム１６はメインフレーム１５にねじ固定した例について説明したが、メインフレーム１５に補助フレーム１６をリベットによる固定あるいはスポット溶接等であってもよい。
【図面の簡単な説明】
【００３３】
【図１】本発明の実施の形態であるプラズマカラーテレビを前面側から見た斜視図である。
【図２】同じくプラズマカラーテレビを背面側から見た斜視図である。
【図３】図１のＡ−Ａ線における断面で、プラズマカラーテレビの内部構成を示した断面図である。
【図４】フロントパネル及びフィルターガラスの組み立て状態の斜視図である。
【図５】同じくフロントパネル及びフィルターガラスの分離状態の斜視図である。
【図６】プラズマカラーテレビのセットを前面側から見た分離状態の斜視図である。
【図７】同じくプラズマカラーテレビのセットを背面側から見た分離状態の斜視図である。
【図８】プラズマディスプレイパネルのその駆動回路を搭載したシャーシとフレームとの取り付け状態の斜視図である。
【図９】フレームの全体に斜視図である。
【図１０】フレームの一部分の拡大した斜視図である。
【符号の説明】
【００３４】
１…映像表示画面、２…フロントパネル、３…フィルターガラス、４…プラズマディスプレイパネル、５…シャーシ、６…リアカバー、７…スタンド、８…枠体、９Ｌ,９Ｒ…スピーカ取付板、１０Ｕ,１０Ｄ…透明部材、１１ａ〜１１ｄ…フロントフレーム、１２ａ〜１２ｄ…コーナーブラケット、１３…スピーカ、１４…フレーム、１５…メインフレーム、１６…補助フレーム、１８ａ,１８ｂ…スペーサ
【図１】
2006039062.tif 000003
【図２】
2006039062.tif 000004
【図３】
2006039062.tif 000005
【図４】
2006039062.tif 000006
【図５】
2006039062.tif 000007
【図６】
2006039062.tif 000008
【図７】
2006039062.tif 000009
【図８】
2006039062.tif 000010
【図９】
2006039062.tif 000011
【図１０】
2006039062.tif 000012